(57)【要約】【課題】簡単な構成により、洗浄液の飛散・零れを防止し、洗浄液タンクの保管を容易にすることができる洗浄装置を提供すること。【解決手段】洗浄装置１は、洗浄液タンク３、洗浄液タンク３を収納して保管するための保管庫２、保管庫２の天井部分２４に埋設された洗浄シンク５、手前側に作業用開口部４２を有する洗浄室４、洗浄液タンク３における洗浄液Ｗを洗浄シンク５へ吐出させる洗浄液ノズル６２等を備えている。洗浄装置１は、洗浄液ポンプ６３によって洗浄液タンク３から送り配管６１を経由して送られて、洗浄液ノズル６２から洗浄シンク５に吐出される洗浄液Ｗを、洗浄シンク５に貯留して被洗浄物８を洗浄する洗浄操作と、被洗浄物を洗浄した後の洗浄液Ｗを洗浄シンク５から戻り配管６４を経由して洗浄液タンク３へ戻す回収操作とを繰り返し行うことができるよう構成されている。【選択図】図１
2015096246.tif 000002
【特許請求の範囲】
【請求項１】
洗浄液を貯留する洗浄液タンクと、
該洗浄液タンクを収納して保管するための保管庫と、
洗浄液を貯留可能な状態で上記保管庫の天井部分に埋設され、洗浄液によって被洗浄物を洗浄するための洗浄シンクと、
上記保管庫の天井部分の奥側及び左右両側に、上記洗浄シンクを囲う立壁が立設され、かつ上記保管庫の天井部分の手前側に作業者用開口部が形成された洗浄室と、
上記洗浄液タンクから上記洗浄シンクの上方まで引き出された送り配管と、
該送り配管の先端部に設けられ、洗浄液を吐出させるための洗浄液ノズルと、
上記洗浄液タンクから上記送り配管へ洗浄液を送り出す洗浄液ポンプと、
上記洗浄シンク内の洗浄液を上記洗浄液タンクへ戻すための戻り配管と、を備え、
上記洗浄液ポンプによって上記洗浄液タンクから上記送り配管を経由して上記洗浄液ノズルに送られて、該洗浄液ノズルから上記洗浄シンクに吐出される洗浄液を、該洗浄シンクに貯留して上記被洗浄物を洗浄する洗浄操作と、該被洗浄物を洗浄した後の洗浄液を上記洗浄シンクから上記戻り配管を経由して上記洗浄液タンクへ戻す回収操作とを繰り返し行うことができるよう構成されていることを特徴とする洗浄装置。
【請求項２】
上記送り配管及び上記洗浄液ノズルは、上記洗浄シンクへ洗浄液を吐出するための送液状態と、上記洗浄液タンク内の洗浄液を外部へ廃液するための廃液状態とに変更可能であり、
上記洗浄液タンク内の古い洗浄液を交換する際には、該古い洗浄液を上記廃液状態の上記送り配管及び上記洗浄液ノズルによって外部へ廃液し、上記洗浄シンクに注入する新しい洗浄液を上記戻り配管を経由して上記洗浄液タンクへ入れるよう構成されていることを特徴とする請求項１に記載の洗浄装置。
【請求項３】
上記洗浄室の天井部分には、排気ダクトが設けられており、
上記洗浄室内には、上記被洗浄物の洗浄後に該被洗浄物に付着する洗浄液をエアによって吹き飛ばすためのエアノズルが設けられており、
上記洗浄室の上記作業用開口部には、該作業用開口部の上側部分を閉じることによって、作業者への洗浄液の跳ね返りを防ぐための透明の扉が、上端部を支点に開閉可能に設けられていることを特徴とする請求項１又は２に記載の洗浄装置。
【発明の詳細な説明】
【技術分野】
【０００１】
本発明は、被洗浄物を洗浄するための洗浄装置に関する。
【背景技術】
【０００２】
例えば、樹脂の光造形を行って試作用の樹脂製品を成形する際には、成形後の樹脂製品をエタノール等の洗浄液を用いて洗浄している。この際、樹脂製品の洗浄は、洗浄液タンクから底が浅い容器に洗浄液を移し替えて行っている。その後、洗浄後の洗浄液を、容器から洗浄液タンクに戻している。
また、洗浄液をポンプ等によって洗浄室に移液して洗浄を行う装置としては、例えば、特許文献１、２に開示された洗浄装置がある。特許文献１においては、気密構造の洗浄室と、洗浄室に配管にて連通した有機溶剤蒸気発生タンクと、洗浄室内を排気する真空ポンプとによって洗浄装置を構成することが開示されている。また、特許文献２においては、洗浄槽に洗浄対象物を収納し、この洗浄槽に炭化水素系もしくは有機溶剤系洗浄液を導入して洗浄を行うとともに洗浄液に掛ける圧力を変化させて洗浄を促す形式の洗浄装置が開示されている。
【先行技術文献】
【特許文献】
【０００３】
【特許文献１】特開平７−１１６６１６号公報
【特許文献２】特開２００２−３２０９３３号公報
【発明の概要】
【発明が解決しようとする課題】
【０００４】
しかしながら、樹脂製品等の洗浄を容器等の中で行う際には、洗浄液が周囲に飛散しやすい。また、洗浄液タンクから容器に洗浄液を移す際、あるいは容器から洗浄液タンクに洗浄液を戻す際に、洗浄液が周囲に零れるおそれがある。一方、上記特許文献１、２の洗浄装置は、その構成が大掛かりであり、試作用の樹脂製品等の洗浄に用いるには適していない。また、有機溶剤等である洗浄液は管理する必要がある。そのため、管理者は、洗浄液タンクを外部に放置しておくことができず、別途保管庫に保管する必要がある。
【０００５】
本発明は、かかる背景に鑑みてなされたもので、簡単な構成により、洗浄液の飛散・零れを防止し、洗浄液タンクの保管を容易にすることができる洗浄装置を提供しようとして得られたものである。
【課題を解決するための手段】
【０００６】
本発明の一態様は、洗浄液を貯留する洗浄液タンクと、
該洗浄液タンクを収納して保管するための保管庫と、
洗浄液を貯留可能な状態で上記保管庫の天井部分に埋設され、洗浄液によって被洗浄物を洗浄するための洗浄シンクと、
上記保管庫の天井部分の奥側及び左右両側に、上記洗浄シンクを囲う立壁が立設され、かつ上記保管庫の天井部分の手前側に作業者用開口部が形成された洗浄室と、
上記洗浄液タンクから上記洗浄シンクの上方まで引き出された送り配管と、
該送り配管の先端部に設けられ、洗浄液を吐出させるための洗浄液ノズルと、
上記洗浄液タンクから上記送り配管へ洗浄液を送り出す洗浄液ポンプと、
上記洗浄シンク内の洗浄液を上記洗浄液タンクへ戻すための戻り配管と、を備え、
上記洗浄液ポンプによって上記洗浄液タンクから上記送り配管を経由して上記洗浄液ノズルに送られて、該洗浄液ノズルから上記洗浄シンクに吐出される洗浄液を、該洗浄シンクに貯留して上記被洗浄物を洗浄する洗浄操作と、該被洗浄物を洗浄した後の洗浄液を上記洗浄シンクから上記戻り配管を経由して上記洗浄液タンクへ戻す回収操作とを繰り返し行うことができるよう構成されていることを特徴とする洗浄装置にある。
【発明の効果】
【０００７】
上記洗浄装置は、洗浄室内に配置された洗浄シンクを有しており、作業者は、洗浄室内の洗浄シンクを用いて被洗浄物の洗浄作業を行うことができる。洗浄室内で洗浄作業を行うことにより、洗浄液が洗浄室の外部に飛散しにくくすることができる。また、洗浄液は、洗浄液ポンプによって洗浄液タンクから洗浄シンクへ送られる。これにより、洗浄液が、洗浄シンク及び洗浄室の外部に零れることを防止することができる。
また、洗浄液タンクと洗浄シンクとは、送り配管及び戻り配管によって接続されており、作業者は、洗浄シンクにおいて被洗浄物を洗浄する洗浄操作と、洗浄シンクから洗浄液タンクへ洗浄液を戻す回収操作とを繰り返し行うことができる。これにより、洗浄液が洗浄装置の外部へ飛散したり零れたりすることを防止して、同じ洗浄液によって繰り返し被洗浄物の洗浄を行うことができる。
【０００８】
また、被洗浄物の洗浄を行わないときには、有機溶剤等である洗浄液が入った洗浄液タンクは、保管庫の中に収納して保管しておくことができる。これにより、洗浄装置は、洗浄液タンクの保管庫として機能することもできる。そのため、洗浄液タンクの移動、洗浄液の移送等を行うことを必要最小限にすることができる。
また、洗浄装置は、洗浄液タンクと洗浄シンクとの間で洗浄液を繰り返し循環させるといった簡単な構成を有するものであり、種々の試作品、少量生産品等の洗浄に最適である。
【０００９】
それ故、上記洗浄装置によれば、簡単な構成により、洗浄液の飛散・零れを防止し、洗浄液タンクの保管を容易にすることができる。
【図面の簡単な説明】
【００１０】
【図１】実施例にかかる、洗浄装置を正面から見た状態で示す説明図。
【図２】実施例にかかる、洗浄装置を側方から見た状態で示す断面説明図。
【図３】実施例にかかる、洗浄シンクにおいて被洗浄物の洗浄を行う状態の洗浄装置を正面から見た状態で示す断面説明図。
【図４】実施例にかかる、洗浄シンクから洗浄液タンクへ洗浄液を戻す状態の洗浄装置を正面から見た状態で示す断面説明図。
【図５】実施例にかかる、洗浄液タンクから廃液用タンクへ洗浄液を廃液する状態の洗浄装置を側方から見た状態で示す断面説明図。
【発明を実施するための形態】
【００１１】
上述した洗浄装置における好ましい実施の形態につき説明する。
上記洗浄装置においては、上記送り配管及び上記洗浄液ノズルは、上記洗浄シンクへ洗浄液を吐出するための送液状態と、上記洗浄液タンク内の洗浄液を外部へ廃液するための廃液状態とに変更可能であり、上記洗浄液タンク内の古い洗浄液を交換する際には、該古い洗浄液を上記廃液状態の上記送り配管及び上記洗浄液ノズルによって外部へ廃液し、上記洗浄シンクに注入する新しい洗浄液を上記戻り配管を経由して上記洗浄液タンクへ入れるよう構成されていてもよい。
この場合には、洗浄装置において、周囲への飛散、周囲への零れ等を防止して、洗浄液タンク内の古い洗浄液を新しい洗浄液に交換することができる。
なお、古い洗浄液とは、被洗浄物を繰り返し洗浄した後の汚れた洗浄液のことをいう。
【００１２】
また、上記洗浄室の天井部分には、排気ダクトが設けられており、上記洗浄室内には、上記被洗浄物の洗浄後に該被洗浄物に付着する洗浄液をエアによって吹き飛ばすためのエアノズルが設けられており、上記洗浄室の上記作業用開口部には、該作業用開口部の上側部分を閉じることによって、作業者への洗浄液の跳ね返りを防ぐための透明の扉が、上端部を支点に開閉可能に設けられていてもよい。
この場合には、洗浄液が溜められた洗浄シンクから蒸発する洗浄液を排気ダクトによって洗浄装置の外部へ排気することができる。また、エアノズルから吹き出すエアによって被洗浄物に付着する洗浄液を吹き飛ばす際に、吹き飛ばされた洗浄液が作業用開口部から作業者に付着することを透明の扉によって防止することができる。
【実施例】
【００１３】
以下に、洗浄装置にかかる実施例につき、図面を参照して説明する。
本例の洗浄装置１は、図１、図２に示すごとく、洗浄液タンク３、保管庫２、洗浄シンク５、洗浄室４、送り配管６１、洗浄液ノズル６２、洗浄液ポンプ６３及び戻り配管６４を備えている。
洗浄液タンク３は、有機溶剤等の洗浄液Ｗを貯留する容器である。保管庫２は、洗浄液タンク３を収納して保管するためのものである。洗浄シンク５は、洗浄液Ｗを貯留可能な状態で保管庫２の天井部分２４に埋設され、洗浄液Ｗによって被洗浄物８を洗浄するために用いられる。洗浄室４は、保管庫２の天井部分２４の奥側及び左右両側に、洗浄シンク５を囲う立壁４１を立設して形成されている。また、洗浄室４は、保管庫２の天井部分２４の手前側に作業用開口部４２を有している。
【００１４】
送り配管６１は、洗浄液タンク３から洗浄シンク５の上方まで引き出されている。洗浄液ノズル６２は、送り配管６１の先端部に設けられており、送り配管６１の先端部から洗浄シンク５へ洗浄液Ｗを吐出させるものである。洗浄液ポンプ６３は、洗浄液タンク３から送り配管６１へ洗浄液Ｗを送り出すものである。戻り配管６４は、洗浄シンク５内の洗浄液Ｗを洗浄液タンク３へ戻すためのものである。
洗浄装置１は、図３に示すごとく、洗浄液ポンプ６３によって洗浄液タンク３から送り配管６１を経由して洗浄液ノズル６２に送られて、洗浄液ノズル６２から洗浄シンク５に吐出される洗浄液Ｗを、洗浄シンク５に貯留して被洗浄物８を洗浄する洗浄操作と、図４に示すごとく、被洗浄物８を洗浄した後の洗浄液Ｗを洗浄シンク５から戻り配管６４を経由して洗浄液タンク３へ戻す回収操作とを繰り返し行うことができるよう構成されている。
【００１５】
以下に、本例の洗浄装置１につき、図１〜図５を参照して詳説する。
本例の洗浄装置１は、光造形機において成形される樹脂製品の洗浄を行うために用いる。そして、光造型機においては、各種樹脂製品の試作品が成形され、洗浄装置１は、作業者が試作品の洗浄を行う際に用いられる。
洗浄液タンク３には、送り配管６１及び戻り配管６４が接続される穴が設けられている。また、洗浄液タンク３には、空気穴３１が設けられており、空気穴３１は、通常はバルブ３１１によって閉じられている。図３に示すごとく、洗浄液ポンプ６３によって洗浄液タンク３から送り配管６１を経由して洗浄シンク５へ洗浄液Ｗを送るときには、バルブ３１１を開けて空気穴３１を開口し、洗浄液タンク３内へ空気を取り込む。また、図４に示すごとく、洗浄シンク５から戻り配管６４を経由して洗浄液タンク３へ重力落下によって洗浄液Ｗを戻すときには、バルブ３１１を開けて空気穴３１を開口し、洗浄液タンク３内の空気を抜き出す。
【００１６】
図１、図２に示すごとく、保管庫２は、奥側及び左右両側に保管壁２１を有し、手前側に形成された保管用開口部２２に、開閉可能な保管扉２３を設けて構成されている。保管扉２３は左右に開く観音開きの構造を有している。保管扉２３は、洗浄装置１を被洗浄物８の洗浄のために使用しないときには、洗浄液タンク３を保管庫２に保管する状態で、管理者以外の者が開けられないように施錠しておく構造を有している。
【００１７】
洗浄シンク５は、洗浄液Ｗを貯留するための容器の構造を有しており、その底部には、洗浄液Ｗの排出口５１が形成されている。洗浄シンク５は、洗浄室４の底部に位置する状態で設けられている。そして、作業者は、洗浄室４の作業用開口部４２から手を入れて、洗浄シンク５内の被洗浄物８を洗浄することができる。
洗浄室４の天井部分には、洗浄シンク５から蒸発する洗浄液Ｗを、洗浄装置１の外部へ排気するための排気ダクト４４が設けられている。洗浄室４は、奥側及び左右両側の立壁４１及び排気ダクト４４によって囲まれている。また、洗浄室４の手前側に位置する作業用開口部４２には、作業用開口部４２の上側部分を閉じることによって、作業者への洗浄液Ｗの跳ね返りを防ぐための透明の扉４３が設けられている。この透明の扉４３は、上端部を支点に作業用開口部４２を開閉可能になっている。
【００１８】
図１、図２に示すごとく、透明の扉４３は、作業者が洗浄シンク５において被洗浄物８の洗浄を行うときには、上方へ開けておき、作業者が作業用開口部４２から洗浄シンク５において被洗浄物８の洗浄作業ができるようにする。
また、洗浄室４内には、被洗浄物８の洗浄後に被洗浄物８に付着する洗浄液Ｗをエアによって吹き飛ばすためのエアノズル４５が設けられている。エアノズル４５は、作業者によって把持可能な形状に形成されており、圧縮機等から引き出された空気配管の先端部に設けられている。
【００１９】
被洗浄物８の洗浄作業が終わったときには、透明の扉４３によって作業用開口部４２の上側部分を閉じる。そして、エアノズル４５から吹き出される空気によって、被洗浄物８に付着して残された洗浄液Ｗを吹き飛ばす際には、作業者は透明の扉４３の下側から洗浄室４内に手を入れ、透明の扉４３から洗浄室４内を見ながら、エアノズル４５を操作して被洗浄物８における洗浄液Ｗを吹き飛ばすことができる。透明の扉４３によって、吹き飛ばされた洗浄液Ｗが作業者に付着することを防止することができる。
【００２０】
図３に示すごとく、洗浄装置１の側方には、洗浄室４内で作業者が被洗浄物８の洗浄をする際、あるいは被洗浄物８に付着した洗浄液Ｗを除去する際に生じたゴミ等を捨てるためのダストボックス４６が設けられている。洗浄室４の左右方向の立壁４１には、洗浄室４とダストボックス４６とを連通する開口穴４１１が設けられており、開口穴４１１には、開口穴４１１を開閉するための扉４６１が設けられている。
【００２１】
送り配管６１及び洗浄液ノズル６２は、図２、図３に示すごとく、洗浄シンク５へ洗浄液Ｗを吐出するための送液状態６０１と、図５に示すごとく、洗浄液タンク３内の洗浄液Ｗを外部の廃液用タンク７へ廃液するための廃液状態６０２とに変更可能である。送液状態６０１においては、洗浄液ノズル６２は、洗浄室４の奥側の立壁４１に設けられたホルダ４１１に保持しておくことができる。また、送液状態６０１においては、洗浄液ノズル６２は、ホルダ４１１に保持した状態で洗浄シンク５へ洗浄液Ｗを吐出させることができ、ホルダ４１１から取り外した状態で洗浄シンク５へ洗浄液Ｗを吐出させることもできる。
洗浄液ノズル６２は、作業者によって把持可能な形状に形成されており、ホルダ４１１への着脱が容易になっている。洗浄液ノズル６２には、洗浄液Ｗの吐出及び吐出の停止を操作するためのバルブ６２１が設けられている。
【００２２】
図１、図２に示すごとく、洗浄液ポンプ６３は、洗浄液タンク３の上部に対向して配置されており、洗浄液タンク３内の底部付近から洗浄液Ｗを吸い上げるよう構成されている。送り配管６１は、洗浄液ポンプ６３によって洗浄液タンク３から洗浄シンク５まで洗浄液Ｗを送る配管である。洗浄液ノズル６２と繋がる、送り配管６１の先端側部分は、洗浄室４の外部に引き出し可能になっている。戻り配管６４は、洗浄シンク５から洗浄液タンク３に向けて下方に伸ばされて設けられている。戻り配管６４には、戻り配管６４及び排出口５１を開閉するためのバルブ６４１が設けられている。
【００２３】
次に、洗浄装置１の操作方法について説明する。
洗浄装置１において被洗浄物８の洗浄を行う際には、作業者は、透明の扉４３を開けて洗浄室４の作業用開口部４２を開口し、また、保管庫２の保管扉２３を開けて洗浄液タンク３の周辺の洗浄液ポンプ６３等の操作を可能にする。
そして、図３に示すごとく、作業者は、洗浄液タンク３における空気穴３１を、バルブ３１１を操作して開ける。また、作業者は、洗浄液ノズル６２及び送り配管６１が送液状態６０１にあることを確認して、洗浄液ポンプ６３を動作させる。このとき、洗浄液ポンプ６３によって、洗浄液タンク３内の洗浄液Ｗは、送り配管６１を経由して洗浄液ノズル６２から洗浄シンク５内へ送られる。
【００２４】
そして、作業者は、洗浄シンク５に溜められる洗浄液Ｗによって、被洗浄物８を洗浄する。このとき、作業者は、被洗浄物８を、洗浄シンク５に溜められた洗浄液Ｗ中に浸漬させながら洗浄することができる。また、この洗浄作業を行う際には、洗浄シンク５から蒸発する洗浄液Ｗを排気ダクト４４によって排気することができる。
次いで、被洗浄物８の洗浄が終わると、作業者は、エアノズル４５から吹き出させる空気によって、被洗浄物８に付着して残っている洗浄液Ｗを吹き飛ばす。このとき、作業者は、吹き飛ばされる洗浄液Ｗを浴びないように、透明の扉４３によって作業用開口部４２の上側部分を閉じておくことができる。
【００２５】
こうして、被洗浄物８の洗浄作業が終わった後には、図４に示すごとく、作業者は、洗浄液タンク３の空気穴３１を開けた状態で、戻り配管６４に設けられたバルブ６４１を開ける。このとき、洗浄シンク５内の洗浄液Ｗは、重力落下によって戻り配管６４を通って洗浄液タンク３へと戻される。これにより、洗浄作業後の洗浄液Ｗの洗浄液タンク３への回収操作を行うことができる。その後、作業者は、洗浄液タンク３の空気穴３１をバルブ３１１によって閉じるとともに、保管庫２の保管扉２３を閉じて、洗浄液タンク３を保管庫２内に保管しておくことができる（図１参照）。
また、作業者は、洗浄する被洗浄物８に応じて、洗浄操作と回収操作とを繰り返し行うことができる。
【００２６】
また、被洗浄物８の洗浄を繰り返し、洗浄液タンク３内の洗浄液Ｗが汚れて古くなったときには、作業者は、この古い洗浄液Ｗの交換を行う。具体的には、洗浄液タンク３内の古い洗浄液Ｗを交換する際には、図５に示すごとく、作業者は、洗浄液ノズル６２を把持し、洗浄液ノズル６２及び送り配管６１の先端側部分を、洗浄室４の外部に引き出して、洗浄液ノズル６２及び送り配管６１を廃液状態６０２にする。
また、作業者は、洗浄装置１の外部に廃液用タンク７を置き、この廃液用タンク７に洗浄液ノズル６２を挿入する。次いで、作業者は、洗浄液タンク３の空気穴３１をバルブ３１１によって開けるとともに、洗浄液ポンプ６３を動作させて、洗浄液タンク３から、送り配管６１を経由して廃液用タンク７へ古い洗浄液Ｗを廃液する。こうして、洗浄液タンク３内を、ほとんど空の状態にする。
【００２７】
次いで、廃液用タンク７への古い洗浄液Ｗの廃液が終わった後には、作業者は、戻り配管６４におけるバルブ６４１を開けて、洗浄シンク５と洗浄液タンク３とを連通させる。また、作業者は、洗浄液タンク３の空気穴３１をバルブ３１１によって開けておく。
そして、作業者は、新しい洗浄液Ｗを洗浄シンク５内に流し込む。このとき、洗浄シンク５内に溜められる新しい洗浄液Ｗは、重力落下によって戻り配管６４を通って洗浄液タンク３内に流れ込む。こうして、洗浄液タンク３内の古い洗浄液Ｗを新しい洗浄液Ｗと交換することができる。
なお、洗浄液Ｗの交換が終わった後には、作業者は、洗浄液タンク３の空気穴３１をバルブ３１１によって閉じ、洗浄液ノズル６２及び送り配管６１を送液状態６０１に戻す。また、作業者は、保管庫２の保管扉２３を閉じて、洗浄液タンク３を保管庫２内に保管しておくことができる。
【００２８】
次に、本例の洗浄装置１による作用効果について説明する。
本例の洗浄装置１は、洗浄室４内に配置された洗浄シンク５を有しており、作業者は、洗浄室４内の洗浄シンク５を用いて被洗浄物８の洗浄作業を行うことができる。洗浄室４内で洗浄作業を行うことにより、洗浄液Ｗが洗浄室４の外部に飛散しにくくすることができる。また、洗浄液Ｗは、洗浄液ポンプ６３によって洗浄液タンク３から洗浄シンク５へ送られる。これにより、洗浄液Ｗが、洗浄シンク５及び洗浄室４の外部に零れることを防止することができる。
【００２９】
また、洗浄液タンク３と洗浄シンク５とは、送り配管６１及び戻り配管６４によって接続されており、作業者は、洗浄シンク５において被洗浄物８を洗浄する洗浄操作と、洗浄シンク５から洗浄液タンク３へ洗浄液Ｗを戻す回収操作とを繰り返し行うことができる。これにより、洗浄液Ｗが洗浄装置１の外部へ飛散したり零れたりすることを防止して、同じ洗浄液Ｗによって繰り返し被洗浄物８の洗浄を行うことができる。また、洗浄液タンク３内の古い洗浄液Ｗを新しい洗浄液Ｗに交換する際には、周囲への飛散、周囲への零れ等を防止して、この交換を容易に行うことができる。
【００３０】
また、被洗浄物８の洗浄を行わないときには、有機溶剤等である洗浄液Ｗが入った洗浄液タンク３は、保管庫２の中に収納して保管扉２３に施錠をし、管理者以外が触れないように保管しておくことができる。これにより、洗浄装置１は、洗浄液タンク３の保管庫２として機能することもできる。そのため、洗浄液タンク３の移動、洗浄液Ｗの移送等を行うことを必要最小限にすることができる。
また、洗浄装置１は、洗浄液タンク３と洗浄シンク５との間で洗浄液Ｗを繰り返し循環させるといった簡単な構成を有するものであり、種々の試作品、少量生産品等の洗浄に最適である。
【００３１】
それ故、本例の洗浄装置１によれば、簡単な構成により、洗浄液Ｗの飛散・零れを防止し、洗浄液タンク３の保管を容易にすることができる。
【符号の説明】
【００３２】
１  洗浄装置
２  保管庫
２１  保管壁
２２  保管用開口部
２３  保管扉
２４  天井部分
３  洗浄液タンク
４  洗浄室
４１  立壁
４２  作業用開口部
４５  エアノズル
５  洗浄シンク
６１  送り配管
６２  洗浄液ノズル
６３  洗浄液ポンプ
６４  戻り配管
８  被洗浄物
Ｗ  洗浄液
【図１】
2015096246.tif 000003
【図２】
2015096246.tif 000004
【図３】
2015096246.tif 000005
【図４】
2015096246.tif 000006
【図５】
2015096246.tif 000007